(57)【特許請求の範囲】
【請求項１】
筐体内に収容された発電機本体と、前記発電機本体に一端を連結された入力軸を有し、前記筐体の側壁の１つを貫通させて前記入力軸の他端を機外に突設すると共に、前記入力軸の他端に、機外に別個に設けられ、且つ、調速レバーによって調整された所定の回転速度に維持可能に構成された動力発生手段の出力軸を連結することで前記発電機本体を駆動可能とした発電機において、
前記発電機本体の発生周波数をそのまま出力可能な端子盤を設けると共に、
前記入力軸に連結される動力発生手段側から前記調速レバーを操作しながら視認可能な前記筐体上の位置に配置され、前記発電機本体の出力周波数を視覚的に認識可能に表示する視覚的周波数表示手段を設けたことを特徴とする発電機。
【請求項２】
前記視覚的周波数表示手段として周波数計を前記入力軸が貫通する筐体側壁の上方部分、又は前記筐体のルーフに設けた請求項１記載の発電機。
【請求項３】
前記視覚的周波数表示手段として、前記発電機本体の出力周波数が定格周波数であること、及び／又は定格周波数外の周波数であることを表示する表示灯を設けた請求項１又は２記載の発電機。
【請求項４】
前記視覚的周波数表示手段に代え、又は前記視覚的周波数表示手段と共に、前記発電機本体の出力周波数が定格周波数であること、及び／又は定格周波数外の周波数であることを、前記入力軸に連結された動力発生手段側において聴取可能な音の発生によって表示する、聴覚的周波数表示手段を設けたことを特徴とする請求項１〜３いずれか１項記載の発電機。
【請求項５】
予め設定された回転方向に対し、前記発電機本体が正転及び／又は逆転していることを視覚的に認識可能に表示する回転方向表示手段を、前記入力軸に連結された動力発生手段側から視認可能な前記筐体上の位置に設けたことを特徴とする請求項１〜４いずれか１項記載の発電機。
【請求項６】
予め設定された回転方向に対し、前記発電機本体が正転及び／又は逆転していることを前記入力軸に連結された動力発生手段側において聴取可能な音により表示する回転方向表示手段を設けたことを特徴とする請求項１〜５いずれか１項記載の発電機。
【発明の詳細な説明】
【技術分野】
【０００１】
本発明は発電機に関し、より詳細には基台上に発電機本体等の必要な機器を載置し、これを筐体で覆って収容したパッケージ型の発電機において、前記発電機のパッケージ内に発電機本体を駆動するためのエンジン等の動力発生源を備えておらず、例えばトラクタ等の車輌に搭載されたエンジンを動力発生手段とし、このエンジンの出力を前記トラクタ等の車輌に装備されたＰＴＯ（Power Take Off）軸等を介して入力することにより、発電機本体を駆動可能とした発電機の構造に関する。
【背景技術】
【０００２】
屋外の工事現場、イベント会場、災害の被災地等における電源の確保において、基台上に発電機本体及びその他の必要な機器を載置すると共に、これを筐体で覆った、可搬式のパッケージ型発電機が使用されている。
【０００３】
このようなパッケージ型の発電機の動力発生源としては、通常エンジンが用いられており、このエンジンの出力を発電機本体に入力して発電機本体を駆動して、所望の周波数（一例として５０Hz又は６０Hz）の交流電源として用いられている。
【０００４】
ここで、発電機本体の出力周波数は、発電機本体の回転数によって変化することから、前述のように５０Hz又は６０Hzといった定格周波数を出力することができるように、発電機本体の出力周波数を表示する周波数計を発電機に設け、この周波数計によって発電機本体の出力周波数を確認しながら動力発生源であるエンジンの回転数を調整し、前記定格周波数を出力し得る回転数（定格回転数）で発電機本体を運転するように調整が行われる。
【０００５】
このような回転数の調整において、前記発電機本体の他に駆動源であるエンジンを共に筐体内に収容した、所謂「エンジン駆動型発電機」において、周波数計等の計器類を備えた制御盤にエンジンの回転数を調整するための調速レバーを配置し、周波数計を見ながらエンジンの回転数調整を可能としたものがある（特許文献１，２参照）。
【０００６】
なお、筐体内に駆動源であるエンジンを備えた前述の特許文献１，２に記載のエンジン駆動型発電機とは異なり、図３に示すように、筐体３内にはエンジン等の動力発生源を備えておらず、外部に設けられた動力発生源の出力を入力軸４を介して入力し、筐体３内に収容された発電機本体を駆動して発電可能とした発電機１（本明細書において「外部動力入力型発電機」という。）がある。
【０００７】
この発明の先行技術文献情報としては次のものがある。
【特許文献１】特開平１０−２８８０５３号公報
【特許文献２】特開２００３−１９３８５６号公報
【発明の開示】
【発明が解決しようとする課題】
【０００８】
前述のように、筐体内に動力発生源としてエンジンを収容したエンジン駆動型発電機にあっては、発電機本体の出力する周波数等を表示する周波数計と、エンジンの駆動制御のための調速レバー等を同一の制御盤上に設け、周波数計を確認しながらの調速を容易に行うことができる。
【０００９】
しかし、筐体３内にエンジンなどの動力発生手段を収容せず、外部に設けられた動力発生手段の回転駆動力の入力を受けて初めて発電機本体の駆動が可能となる前述の外部動力入力型発電機１（図３参照）にあっては、前記筐体３を貫通して機外に突出する入力軸４を備え、この入力軸４を介して発電機とは別個独立した装置である動力発生源、例えばトラクタ等の車輌に搭載されたエンジンの出力を入力して駆動するように構成されている。
【００１０】
そのため、動力発生手段の速度調整を行うための調速レバー等は、動力発生手段を備えた例えばトラクタの運転席等に設けられており、周波数計等を備えた発電機１の制御盤とは別個独立して設けられている。
【００１１】
しかも、発電機１の駆動中、前記入力軸４にはドライブシャフト等の連結部材を介して動力発生手段の出力軸（例えばトラクタのＰＴＯ軸）が連結され、これらが高速で回転していることから、入力軸４が突設された筐体３の側壁（フロントパネル）３１と動力発生手段間に人が入り込んで作業をすることは危険を伴う。
【００１２】
そのため、発電機１のフロントパネル３１には、前述の制御盤や端子盤等を設けることはせず、これらは通常、前記フロントパネル３１と対向する筐体３の側壁（リヤパネル）３２に設けられている。
【００１３】
このように、筐体３のリヤパネル３２に設けられた制御盤や端子盤は、発電機に連結された動力発生手段側から死角に位置し、制御盤に設けられた周波数計を見ようとすれば、作業者は発電機１のリヤパネル３２側に回り込む必要がある。
【００１４】
例えば、発電機１の駆動をトラクタに搭載されたエンジンによって行う場合、トラクタに装備されたＰＴＯ軸を発電機１の入力軸４に連結すると、作業者は、トラクタの運転席側から発電機１の周波数計を見ることができない。そのため、発電機本体の出力周波数の調整に際して、ＰＴＯ軸の調速はトラクタの運転席で行い、この操作の結果変動した発電機１の出力周波数は、運転席を降りて発電機１のリヤパネル３２側に回り込んで周波数計によって確認し、この出力周波数に基づいて、再度トラクタの運転席に戻って調速レバーを操作する等の一連の動作を繰り返してＰＴＯ軸を介して出力する回転数を決定する必要がある。
【００１５】
又は、発電機１のリヤパネル３２に対向して周波数計が表示する数値を読み上げる者を別途に配置しておき、この者が読み上げた周波数に応じて調速レバーを調整してＰＴＯ軸の出力する回転数を調整する必要がある。
【００１６】
このように、発電機本体の出力周波数にあわせて動力発生手段の出力を調整する作業は、極めて困難かつ煩雑である。
【００１７】
なお、前述のトラクタのように、ＰＴＯ軸を備えた車輌のエンジンを動力発生手段とする場合、この種の車輌には変速装置によってＰＴＯ軸の回転数を変化させることができるように構成されているだけでなく、ＰＴＯ軸の正・逆転を切り替えることができるように構成されている。
【００１８】
そして、変速装置の誤った操作によってＰＴＯ軸の出力を発電機が要求する指定回転方向とは逆に回転すると、発電機から逆相の電力が出力されることから、例えばこの発電機からの電力の供給を受けて作動する機器が三相交流モータを備える場合には逆回転する等、発電機を電源とする各種機器が正常に動作しなかったり、又は破損するおそれもある。
【００１９】
そこで、本発明の目的は、上記従来技術における欠点を解消するために成されたものであり、エンジン等の動力発生手段を備えていない外部動力入力型発電機において、外部動力発生手段の操作を行いながらであっても、発電機の出力周波数を容易に確認することができる構造を備えた発電機を提供することを目的とする。
【００２０】
また、本発明の別の目的は、前記回転数の調整と共に、前記発電機の指定回転方向に対して外部の動力発生手段によって入力された回転方向が逆方向であることを作業者に容易に認識させることのできる構成を備えた発電機を提供することにより、この発電機を電源とする各種機器の誤動作や破損等の発生を未然に防止することを目的とする。
【課題を解決するための手段】
【００２１】
上記目的を達成するために、本発明の発電機１は、筐体３内に収容された発電機本体と、前記発電機本体に動力伝達手段等を介して一端を連結された入力軸４を有し、前記筐体３の側壁の１つ（フロントパネル３１）を貫通させて前記入力軸４の他端を機外に突設すると共に、前記入力軸４の他端に、機外に別個に設けられ、且つ、調速レバーによって調整された所定の回転速度に維持可能に構成された動力発生手段５（例えばトラクタ５１のエンジン）の出力軸（ＰＴＯ軸５２）を連結することで前記発電機本体を駆動可能とした発電機１において、
前記発電機本体の発生周波数をそのまま出力可能な端子盤を設けると共に、
前記入力軸４に連結される動力発生手段５側から前記調速レバーを操作しながら視認可能な前記筐体３上の位置に配置され、前記発電機本体の出力周波数を視覚的に認識可能に表示する視覚的周波数表示手段７（７１，７２）を設けたことを特徴とする（請求項１）。
【００２２】
前記構成の発電機１において、前記視覚的周波数表示手段７として、周波数計７１を前記入力軸４が貫通する筐体３の側壁（フロントパネル３１）の上方部分、又は前記筐体３のルーフ３３に設けることができる（請求項２）。
【００２３】
また、前記周波数計７１と共に、又は前記周波数計７１に代えて、前記発電機本体の出力周波数が定格周波数であること、及び／又は定格周波数外の周波数であることを表示する表示灯（周波数表示灯７２）を設けても良い（請求項３）。
【００２４】
さらに、前記視覚的周波数表示手段７（７１，７２）に代え、又は前記視覚的周波数表示手段７（７１，７２）と共に、前記発電機本体の出力周波数が定格周波数であること、及び／又は定格周波数外の周波数であることを、前記入力軸４に連結された動力発生手段５側において聴取可能な音の発生によって表示する、聴覚的周波数表示手段を設けることができる（請求項４）。
【００２５】
前記各構成の発電機１において、さらに予め設定された回転方向に対し、前記発電機本体が正転及び／又は逆転していることを視覚的に認識可能に表示する、表示灯（回転方向表示灯８１）等から成る回転方向表示手段８を、前記入力軸４に連結された動力発生手段５側から視認可能な前記筐体３上の位置に設けるものとしても良い（請求項５）。
【００２６】
前述の回転方向表示手段８としては、前述のように、視覚的に認識可能に回転方向を表示する回転方向表示手段８、例えば回転方向表示灯８１と共に、又はこれに代えて、前記入力軸４に連結された動力発生手段５側において聴取し得る音によりこれを表示する聴覚的な回転方向表示手段を設けるものとしても良い（請求項６）。
【発明の効果】
【００２７】
以上説明した構成により、動力発生手段の操作を行う作業者は、入力軸に連結された動力発生手段側に居ながらにして発電機本体の出力周波数を確認することが可能となった。
【００２８】
その結果、動力発生手段の操作位置（制御盤の前面や運転席等）でこの動力発生手段の出力回転数の調整を行いながら、このような操作位置から離れることなく発電機本体の出力周波数を確認することができ、その結果、動力発生手段の出力回転数を、発電機本体の定格回転数に調整することが容易となった。
【００２９】
また、外部の動力発生手段が発電機に入力している回転方向を表示する回転方向表示手段を設けたことから、発電機に対して入力が要求されている回転方向とは逆転方向の回転駆動力の入力がされている場合、これを直ちに作業者に認識させることが可能となり、発電機の出力が逆相となることによりこの発電機を電源とする各種機器等の誤動作や破損を防止できた。
【発明を実施するための最良の形態】
【００３０】
次に、本発明の実施形態につき添付図面を参照しながら以下説明する。
【００３１】
本発明の発電機１は、基台２上に載置された発電機本体、前記発電機本体に回転駆動力を伝達する動力伝達手段、その他の必要な機器（図示せず）をいずれも筐体３で覆ってパッケージ型の発電機として構成したものであり、この筐体３の側壁の１つ（フロントパネル）３１には、前記フロントパネル３１を貫通して、前記動力伝達手段を介して発電機本体に外部の動力発生手段５からの回転駆動力を入力する入力軸４が突設されている。
【００３２】
この発電機１の筐体３の側壁には、この発電機１の制御を行うためのスイッチ類が設けられた制御盤、この発電機１を電源とする各種機器を接続するための端子盤等（図示せず）、必要な機器が設けられていると共に、筐体３を開放して内部を保守、点検等するための開閉扉３６が筐体３側壁に設けられている。
【００３３】
本実施形態にあっては、前述の入力軸４を設けたフロントパネル３１と対向する側壁（リアパネル）３２に、前述の制御盤を設けると共に、筐体３の右側壁３４に、前記保守・点検用の開閉扉３６を設け、前記筐体３の左側壁３５に、前記端子盤と周波数表示手段７及び回転方向表示手段８を設けている。
【００３４】
以上のように構成された外部動力入力型発電機１において、この発電機１には、前記入力軸４が設けられたフロントパネル３１側、すなわち動力発生手段側で調速作業を行う作業者に発電機本体の出力周波数を知らせる周波数表示手段と、前記入力軸４を介して入力された回転方向力を表示する回転方向表示手段が設けられている。
【００３５】
図１に示す実施形態において、前記入力軸４に連結された動力発生手段側の位置より視認可能な位置の前記筐体３上に、作業者が視覚によってこの周波数を認識し得る周波数表示手段７として周波数計７１及び周波数表示灯７２を設けると共に、視覚によって回転方向を認識し得る回転方向表示手段８として回転方向表示灯８１を設けている。
【００３６】
これらの表示手段を設ける位置としては、前記入力軸４が突設されたフロントパネル３１の上方寄りの部分、又は、前記筐体３のルーフ３３の前記フロントパネル３１寄りの部分に設けることが好ましい。
【００３７】
もっとも、これらの各表示手段の視認性を確保し得るものであれば、これらをリアパネル３２側のルーフ３３上に設ける等、図示の実施形態に限定されず、いずれの位置に設けても良い。
【００３８】
前述の周波数表示手段７として設けられた周波数計７１は、発電機１に連結された動力発生手段５の操作位置、例えばこの動力発生手段が後述するようにトラクタに搭載されたエンジンである場合には、トラクタの運転席からであっても表示された数値を読み取ることかできるよう、比較的大型のものを採用することが好ましい。
【００３９】
また、図示の実施形態にあっては、このような周波数計７１として指針の指し示す位置により出力周波数を表示する周波数計（アナログ計）を設けているが、このような周波数計７１に代え、例えばデジタル表示の周波数計を設けても良い。
【００４０】
さらに、前述の周波数計７１と共に周波数表示手段７として設けた周波数表示灯７２は、発電機本体の出力周波数が予め設定された定格周波数を出力していること、又は、定格周波数から外れた周波数を出力していることを、点灯方法（点灯、消灯、点滅等）や点灯色の変化によって表示するように構成されており、これにより、発電機本体の出力周波数を確認することができるように構成されている。
【００４１】
なお、点灯方法や点灯色の変化により、発電機本体の出力周波数が定格周波数外であるとき、この出力周波数の定格周波数に対して、高・低側のいずれの周波数が出力されているかを表示可能としても良い。
【００４２】
なお、図１に示す実施形態にあっては、周波数表示灯７２を単一の表示灯によって構成し、発電機の出力周波数が定格周波数であるときに、周波数表示灯７２が点灯するように構成しているが、複数の表示灯を設け、いずれの表示灯が点灯しているかにより、又は点灯（又は点滅、消灯等）している表示灯の組合せにより、発電機本体の出力周波数を確認することができるようにしても良い。
【００４３】
また、図１において、前記周波数表示灯７２に隣接して配置された表示灯８１は、入力軸４を介して入力された回転方向を点灯、消灯、点滅等の方法、又は点灯色の変化等によって表示する回転方向表示手段８（回転方向表示灯８１）で、本実施形態にあっては、この回転方向の表示灯によって、入力された回転方向が発電機の指定回転方向に対して逆方向である場合に点灯して警告する警告灯としている。
【００４４】
もっとも、この実施形態とは逆に、入力された回転方向が発電機の指定回転方向と同方向のとき点灯し、逆方向のとき消灯するようにしても良く、又は逆方向のときには赤く、正転方向のときには青く点灯する等、点灯時の表示色を変化させることで回転方向を表示するように構成しても良く、さらには２つの表示灯を設け、いずれの表示灯が点灯しているかにより、回転方向を認識可能としても良い。
【００４５】
この回転方向表示手段８は、発電機１に設けた前述の入力軸４の回転方向、又は発電機本体の回転方向を検出する回転方向検出手段（図示せず）の検知信号に基づき、前述の回転方向を表示するもので、この回転方向検出手段としては、前記入力軸４や発電機本体の回転方向を検出する回転センサを使用しても良く、又は、発電機本体の逆回転により逆相の出力があったことを検出する反相リレーによって回転方向を検出するものとしても良い。
【００４６】
図示の実施形態において、前述の周波数計７１、周波数表示灯７２及び回転方向表示灯８１は、いずれもフロントパネル３１の上方部分に、このフロントパネル３１が形成する平面と同一平面上に配置されているが、図示の実施形態に限定されず、これらの表示手段を例えば斜め上方を向くように傾斜して配置しても良く、また、筐体３のルーフ３３上に、ルーフ３３と同一平面となるように又は傾斜して取り付けても良く、さらにはルーフ３３の上方に立設しても良く、前記入力軸４に接続される動力発生手段５側からの視認性が良好な位置及び取り付け状態であれば、如何なる状態で取り付けても良い。
【００４７】
また、前記フロントパネル３１、又はルーフ３３上に、このような各表示手段７１，７２，８１の傾斜角を可変と成すように取り付け、連結する動力発生手段の変更に伴う作業者の位置変更に対応して、作業者から見易い向きに表示手段を傾斜させることができるよう構成しても良い。
【００４８】
また、図示の実施形態にあっては、周波数計７１と周波数表示灯７２を隣接して設けたが、周波数計７１と周波数表示灯７２とは、それぞれ別の位置に設けても良く、例えば本実施例のように点灯、消灯という比較的遠方からでも確認し易い方法で表示する周波数表示灯７２は、筐体３のルーフ３３上のリヤパネル３２寄りの位置に設けても良い。
【００４９】
筐体３のリヤパネル３２に制御盤等を配置した本実施形態の発電機１にあっては、このようにリヤパネル３２寄りのルーフ３３上にこれらの表示手段を設けると、制御盤からの距離が近くなり、配線等のとりまとめが容易で作業上便利である。
【００５０】
なお、図１に示す実施形態にあっては、周波数計７１と周波数表示灯７２の双方を設ける例を示したが、必ずしも両者共に設ける必要はなく、このうちのいずれか一方のみを設けるものとしても良い。
【００５１】
また、前述の回転方向表示手段８（回転方向表示灯８１）と共に、又はこれに代え、前記回転方向検出手段が入力軸４又は発電機本体の逆回転を検出したとき、電源遮断器（図示せず）にこの検出信号を送信し、発電機の出力を停止できるように構成しても良い。
【００５２】
以上、図１を参照して説明した構成にあっては、前述の周波数表示手段７及び回転方向表示手段８を、いずれも、作業者の視覚に訴える、視覚的な表示手段として構成したが、この周波数表示手段７及び回転方向表示手段８は、前述の視覚的な表示手段に代えて、又は視覚的な表示手段と共に、警告音等の発生と停止、又は警告音の変化等、音によって発電機本体の出力周波数及び／又は発電機本体に入力された回転方向を作業者の聴覚に訴える表示手段（聴覚的表示手段）として構成することもできる。
【００５３】
一例として、本実施形態にあっては、発電機１の出力周波数が、定格周波数より外れているとき、警告音を発し、定格周波数であるとき、この警告音が止むように構成し、また、発電機１に対し逆方向の回転が入力されているときに警告音を発し、正転時には警告音が止むように構成した。もっとも、この実施形態に限定されず、発電機の周力周波数、回転方向を音により表示可能であれば、如何なる方法で表示しても良い。
【００５４】
このような聴覚的表示手段として前記周波数表示手段７及び／又は回転方向表示手段８を構成する場合には、これらの表示手段より発せられた音が、動力発生手段５側で作業する作業者に聴取可能であれば、前記視覚的表示手段とは異なり、その配置位置は特に限定されず、例えば筐体３内の外部からは隠れた位置にこれらの表示手段を配置するものとしても良い。
【００５５】
以上のように構成された本発明の発電機１において、その入力軸４には、一例として図２に示すようにトラクタ５１のＰＴＯ軸５２をドライブシャフト６等の連結手段を介して連結し、このＰＴＯ軸５２、及びドライブシャフト６を介して、トラクタ５１のエンジン（動力発生手段）５の出力を発電機１の入力軸４に入力可能としている。
【００５６】
このトラクタ５１は、その後部側にＰＴＯ軸５２を備え、ドライブシャフト６を介してこのＰＴＯ軸５２に前記発電機１の入力軸４を連結すると、トラクタ５１上に設けられた運転席５３に着座している作業者は、後方を振り返ることにより発電機１の筐体３のフロントパネル３１及びルーフ３３を見下ろせる位置にある。
【００５７】
そして、このような連結状態においてトラクタ５１のＰＴＯ軸５２を回転させると、ドライブシャフト６を介して発電機１の入力軸４が回転し、筐体３内に収容された発電機本体が回転する。
【００５８】
発電機１の出力周波数は、トラクタ５１のＰＴＯ軸５２の回転数に同調して変化し、回転数の増加に伴い周波数が上昇し、また、逆にＰＴＯ軸の回転数の減少に伴い周波数も減少する。この出力周波数の変化は、筐体３のフロントパネル３１の上方部分の見易い位置に設けられた周波数計７１、周波数表示灯７２等の周波数表示手段７によって表示され、また、音による周波数表示手段が設けられている場合には、この周波数の変化が警告音の有無又は変化等として表示される。
【００５９】
作業者は、この周波数表示手段７によって表示された出力周波数の変化を視覚的、及び／又は聴覚的に確認しながら、トラクタ５１の運転席５３に設けられたＰＴＯ軸５２の変速装置を所定位置に切り替え、エンジンの調速レバーを調整し、発電機１の出力周波数が定格値（一例として５０Hz又は６０Hz）になるよう調整する。
【００６０】
前述の周波数表示手段７が、周波数計７１や周波数表示灯７２等の視覚的な表示手段である場合、この周波数表示手段７は筐体３のフロントパネル３１の上方部分や、筐体３のルーフ３３の前記フロントパネル３１寄りの位置等、トラクタ５１の操作位置（座席５３）側から視認可能な位置に設けられていることから、作業者はトラクタ５１を降車することなく、発電機本体の出力周波数を確認して、入力すべき回転数の調整を行うことができる。
【００６１】
また、前記視覚的な表示手段に代え、又は視覚的な表示手段と共に、音により出力周波数を表示する聴覚的表示手段が設けられている場合には、作業者はこの聴覚的表示手段によって発せられる警告音の有無、又は変化等に従って、発電機１に入力する回転数の調整を行うことができ、同様にトラクタ５１を降車することなく発電機１の出力周波数を確認して調整作業を行うことができるだけでなく、後方を振り返ることなく運転席に着座して、手元の調速レバー等に視線を置いた状態でこのような調整作業を行うことができ、操作ミス等を防止できる。
【００６２】
作業者が、トラクタ５１の運転席５３に設けられた変速装置の操作ミス等によって、ＰＴＯ軸５２を発電機１の指定回転方向とは逆方向に回転させた場合、入力軸４や発電機本体の回転方向を検出する回転方向検出手段がこの逆転方向の回転の入力を検出し、回転方向表示手段８によって逆回転の入力がされていることが表示される。
【００６３】
回転方向表示手段８が、回転方向表示灯８１等の視覚的表示手段である場合には、このような逆転方向の入力が行われていることが回転方向表示灯８１の点灯、点滅、消灯等によって表示され、また、回転方向表示手段８が聴覚的表示手段である場合には、このような逆方向の回転の入力状態にあることが例えば警告音の発生によって表示され、これによって作業者に逆転方向の入力がされていることを認識させる。
【００６４】
なお、回転方向表示手段８が聴覚的表示手段であり、また、前述の周波数表示手段７が同様に聴覚的表示手段である、又は聴覚的表示手段を備える場合には、周波数表示手段７が発する警告音と、回転方向表示手段８が発する警告音とを別の音とする等、両者を識別し得るように構成する。
【００６５】
なお、前記回転方向表示手段８と共に、又は前記回転方向表示手段８に代えて、回転検出手段が検出した逆回転の検出信号を電源遮断器に入力し、回路を遮断するように構成してもよく、この場合には電源遮断器によって発電機１の出力が停止して、発電機に接続された各種機器に対する電力の供給が行われず、これらの機器の誤作動や破損を防止できる。
【図面の簡単な説明】
【００６６】
【図１】本発明の発電機の外観斜視図。
【図２】本発明の発電機をトラクタに連結した状態の説明図。
【図３】外部動力入力型発電機の外観斜視図。
【符号の説明】
【００６７】
１  （外部動力入力型）発電機
２  基台
３  筐体
３１  フロントパネル
３２  リヤパネル
３３  ルーフ
３４，３５  左，右側壁（サイドパネル）
３６  開閉扉
４  入力軸
５  動力発生手段（トラクタ５１のエンジン）
５１  トラクタ
５２  ＰＴＯ軸
５３  運転席
６  ドライブシャフト
７  周波数表示手段
７１  周波数計
７２  周波数表示灯
８  回転方向表示手段
８１  回転方向表示灯
【図１】
0004659595.tif 000002
【図２】
0004659595.tif 000003
【図３】
0004659595.tif 000004